(57)【要約】　　　（修正有）【課題】秘匿を要する秘匿情報をその秘匿性を維持したまま利用することができるＩＣカードを提供する。【解決手段】複数の情報を記録する記録部を有するＩＣカードにおいて、ＩＣカードの記録部に記録する複数の個別の秘匿情報を、１つのカード管理識別子によって管理し、秘匿情報の読出しをカード管理識別子を介して行う。また、複数の情報を記録する記録部を有するＩＣカードを用いる端末装置に記録部に記録したカード管理識別子を読み取るカード管理識別子読取りステップと、カード管理識別子の入力を受け付けるカード管理識別子入力受付ステップと、読み取ったカード管理識別子と入力されたカード管理識別子とを比較するカード管理識別子比較ステップと、比較結果が一致したときに記録部に記録した個別の秘匿情報を選択可能に表示する秘匿情報選択表示ステップとを実行させる。【選択図】　　　　図１
2004145659.tif 000002
【特許請求の範囲】
【請求項１】
複数の情報を記録する記録部を有するＩＣカードにおいて、前記記録部に記録する複数の個別の秘匿情報を、１つのカード管理識別子によって管理し、前記秘匿情報の読出しを前記カード管理識別子を介して行うことを特徴とするＩＣカード。
【請求項２】
請求項１において、
前記記録部に複数の口座情報を記録し、前記秘匿情報が前記口座情報に対応させた口座暗証番号であることを特徴とするＩＣカード。
【請求項３】
請求項１または請求項２において、
前記秘匿情報が、暗証識別子であることを特徴とするＩＣカード。
【請求項４】
請求項１、請求項２または請求項３において、
前記秘匿情報が、個人の特徴を示す生体情報であることを特徴とするＩＣカード。
【請求項５】
請求項１から請求項３または請求項４において、
前記カード管理識別子が、暗証識別子であることを特徴とするＩＣカード。
【請求項６】
請求項１から請求項３または請求項４において、
前記カード管理識別子が、個人の特徴を示す生体情報であることを特徴とするＩＣカード。
【請求項７】
複数の情報を記録する記録部を有するＩＣカードを用いる端末装置に、
前記記録部に記録したカード管理識別子を読取るカード管理識別子読取ステップと、
前記カード管理識別子の入力を受付けるカード管理識別子入力受付ステップと、
前記読取ったカード管理識別子と入力されたカード管理識別子とを比較するカード管理識別子比較ステップと、
前記比較結果が一致したときに、前記記録部に記録した個別の秘匿情報を選択可能に表示する秘匿情報選択表示ステップとを実行させることを特徴とするＩＣカードを用いる端末装置のプログラム。
【発明の詳細な説明】
【０００１】
【発明の属する技術分野】
本発明は、複数の個別の情報を記録したＩＣカードおよびそれを用いる端末装置のプログラムに関する。
【０００２】
【従来の技術】
従来、パーソナルコンピュータや携帯端末等へ情報を入力するために用いるＩＣカードには複数の情報が記録され、パーソナルコンピュータや携帯端末等の利用者は、そのカード読取書込装置にＩＣカードを挿入してＩＣカードに記録された情報を利用している。
【０００３】
また、近年の情報通信技術の発達に伴い、これによる種々のアプリケーション等の利用の際には、利用者個人を認証するための暗証番号やパスワード等が用いられ、利用者は暗証番号やパスワード等を入力してアプリケーション等の利用を行っている。
一方、金融機関がその顧客との取引のために発行する取引カード、例えば銀行が発行するキャッシュカードや信販会社が発行するクレジットカード等の磁気カードには、１枚の取引カードに１つの取引口座の口座情報が記録され、その取引カードに１つの暗証番号が設定されている。
【０００４】
【発明が解決しようとする課題】
しかしながら、上述した従来の技術においては、複数の暗証番号やパスワード等（以下、暗証識別子という。）を用いる利用者は、アプリケーション等の利用や取引カードの利用の度に暗証識別子を入力しなければならず、利用者の利便性が悪いという問題がある。
【０００５】
また、多くの暗証識別子を使い分けている利用者は、その利用目的に応じた暗証識別子を記憶しておかなければならず、失念を恐れるあまりこれをメモ等に記録するようにすると、その秘匿性が低下するという問題がある。
本発明は、上記の問題点を解決するためになされたもので、秘匿を要する暗証識別子をその秘匿性を維持したまま利用することができるＩＣカードを提供することを目的とする。
【０００６】
【課題を解決するための手段】
本発明は、上記課題を解決するために、複数の情報を記録する記録部を有するＩＣカードにおいて、前記記録部に記録する複数の個別の秘匿情報を、１つのカード管理識別子によって管理し、前記秘匿情報の読出しを前記カード管理識別子を介して行うことを特徴とする。
【０００７】
また、複数の情報を記録する記録部を有するＩＣカードを用いる端末装置に、前記記録部に記録したカード管理識別子を読取るカード管理識別子読取ステップと、前記カード管理識別子の入力を受付けるカード管理識別子入力受付ステップと、前記読取ったカード管理識別子と入力されたカード管理識別子とを比較するカード管理識別子比較ステップと、前記比較結果が一致したときに、前記記録部に記録した個別の秘匿情報を選択可能に表示する秘匿情報選択表示ステップとを実行させることを特徴とする。
【０００８】
【発明の実施の形態】
以下に、図面を参照して本発明によるＩＣカードの実施の形態およびその利用形態について説明する。
【０００９】
第１実施の形態例
本実施の形態は、本発明のＩＣカードを金融機関の取引カードとして用いる場合の利用形態を示す。
図１は第１実施の形態のＩＣカードの秘匿情報の構成例を示す説明図、図２は第１実施の形態のＩＣカードの利用形態を示すブロック図である。
図１において、１はＩＣカードであり、複数の個別の情報を記録する記録部２を有している。
このＩＣカード１によって利用者がＩＣカード１記録された情報を端末装置に入力する場合は、端末装置に設けられたＩＣカード１を接触または非接触の手段によって読み書きするカード読取書込部に挿入し、記録部２に記録された情報を読取って入力する。
【００１０】
また、記録部２に情報を記録する場合は、端末装置のカード読取書込部によって必要な情報を書込んで記録する。
本実施の形態のＩＣカード１の記録部２には、図１に示す個別の秘匿を要する暗証識別子等の情報（以下、秘匿情報という。）３が、１つのカード管理識別子４に管理されて複数記録されている。
【００１１】
図２において、５は端末装置としての現金自動取引装置であり、金融機関の支店等の店舗に設置されており、通常の現金自動取引装置５と同様に表示部とタッチパネル等で構成した顧客操作部、紙幣や硬貨の入出金部等を有しており、ＩＣカード１の記録部２に記録された情報を接触または非接触の手段によって読み書きするカード読取書込部を備えている。
【００１２】
６は金融機関のセンタに設置された上位装置としてのホストコンピュータであり、現金自動取引装置５と電話回線等の通信回線７によって接続しており、顧客の口座を管理する。
８は端末装置としての携帯電話やＰＤＡ（Ｐｅｒｓｏｎａｌ　ＤｉｇｉｔａｌＡｓｓｉｓｔａｎｔｓ）等の携帯端末であり、通常の携帯端末８の機能とＩＣカード１を接触または非接触の手段によって読み書きするカード読取書込部を備えている。
【００１３】
９は端末装置としてのパーソナルコンピュータ（以下、パソコンという。）であり、通常のパソコン９の機能とＩＣカード１を接触または非接触の手段によって読み書きするカード読取書込部を備えている。
１０はインターネット等の通信網であり、無線や有線等の通信手段によって携帯端末８やパソコン９、ホストコンピュータ６が接続しており、携帯端末８とパソコン９、ホストコンピュータ６との間を相互にデータ通信可能なように構成される。
【００１４】
本実施の利用形態のＩＣカード１は金融機関が発行する取引カードであり、その記録部２には、利用者の複数の取引口座の金融機関名や口座番号等の口座情報が通常の規格によって記録されており、カード管理識別子４としての暗証番号（以下、カード暗証番号という。）に管理されて秘匿情報３としての前記口座に対応する暗証番号（以下、口座暗証番号という。）が記録されている。
【００１５】
本実施の形態では、ｎ個の口座暗証番号が記録されている。
上述した構成の作用について、図３に示すフローチャートを用い、Ｓで示すステップに従って説明する。
Ｓ１、現金自動取引装置５の顧客操作部の画面には取引選択画面が表示されている。
【００１６】
取引選択画面には、取引ボタンの押下を促す旨と出金取引のための「お引き出し」ボタンや入金取引のための「お預け入れ」ボタン等の取引種別を選択するための取引ボタンが選択可能に表示されている。
利用者は、取引を行う取引種別を選択して取引ボタンを押下する。
Ｓ２、取引ボタンが押下された信号を検知した現金自動取引装置５は、ＩＣカード１（取引カード）の挿入を促す画面を表示し、利用者はこれに従ってＩＣカード１をカード読取書込部に挿入する。
【００１７】
この時、現金自動取引装置５は、ＩＣカード１の記録部２に記録された複数の口座情報およびカード暗証番号を読取る。
Ｓ３、口座情報等の読取りを終えた現金自動取引装置５は、顧客操作部の画面に図４に示す取引口座選択画面を表示する。
取引口座選択画面には、読取った複数の口座情報の口座を示す支店名や科目等をキーワードとして表示した口座ボタンが選択可能に表示される。
【００１８】
この時、取引口座の選択を促す旨やその操作方法等を同時に表示するようにしてもよい。
利用者は、ステップＳ１で選択した取引に使用する取引口座を選択して口座ボタンを押下する。
Ｓ４、口座ボタンが押下された信号を検知した現金自動取引装置５は、顧客操作部の画面に図５に示す口座暗証番号入力画面を表示する。
【００１９】
口座暗証番号入力画面には、ＩＣカード１から口座暗証番号を入力することを指示するための「ＩＣカード」ボタン、口座暗証番号を入力するためのテンキー、口座暗証番号表示欄および入力の間違いを訂正するための「訂正」ボタンが表示される。
この時、口座暗証番号の入力を促す旨やＩＣカード１から口座暗証番号を入力するための操作方法等を同時に表示するようにしてもよい。
【００２０】
本実施の形態では、利用者は「ＩＣカード」ボタンを押下する。
なお、利用者が手入力により口座暗証番号を入力する場合は、表示されているテンキーによって口座暗証番号を入力し、これを認識した現金自動取引装置５は通常の手順に従って選択された取引を実行する。
Ｓ５、「ＩＣカード」ボタンが押下された信号を検知した現金自動取引装置５は、顧客操作部の画面に図６に示すカード暗証番号入力画面を表示する。
【００２１】
カード暗証番号入力画面には、カード暗証番号を入力するためのテンキー、カード暗証番号表示欄および入力の間違いを訂正するための「訂正」ボタンが表示される。この時カード暗証番号の入力を促す旨等を同時に表示するようにしてもよい。
利用者は、カード暗証番号をテンキーによって入力する。
【００２２】
Ｓ６、カード暗証番号の入力を認識した現金自動取引装置５は、ステップＳ２で読取ったＩＣカード１に記録されたカード暗証番号と入力されたカード暗証番号とを比較し、カード暗証番号が一致した場合はステップＳ８へ移行する。
カード暗証番号が一致しない場合は、所定の回数、例えば３回の再入力を受付け、再入力されたカード暗証番号が所定の回数を超えても一致しない場合はステップＳ７へ移行する。
【００２３】
Ｓ７、カード暗証番号が一致しなかったことを認識した現金自動取引装置５は、カード読取書込部に挿入されているＩＣカード１を排出し、利用者のＩＣカード１の受取り後に取引処理を終了してステップＳ１へ戻り、取引選択画面を表示して待機する。
Ｓ８、カード暗証番号が一致すると、現金自動取引装置５は利用者をＩＣカード１の所有者であると認証し、複数の個別の秘匿情報３としての各口座情報に対応した口座暗証番号を読取って顧客操作部の画面に図７に示す口座暗証番号選択画面を表示する。
【００２４】
口座暗証番号選択画面には、読取った複数の口座暗証番号を口座情報のキーワードと共に表示した暗証番号ボタンが選択可能に表示される。
この時、口座暗証番号の選択を促す旨やその操作方法等を同時に表示するようにしてもよい。
利用者は、上記ステップＳ３で選択した取引口座に使用する口座暗証番号を選択して暗証番号ボタンを押下する。
【００２５】
なお、口座暗証番号等の秘匿情報３の読取りは、ステップＳ２において口座情報を読取る時に同時に読取るようにしてもよい。
Ｓ９、暗証番号ボタンが押下された信号を検知した現金自動取引装置５は、顧客操作部の画面に図８に示す口座暗証番号確定画面を表示する。
口座暗証番号確定画面には、選択された口座情報または口座暗証番号のキーワード、口座暗証番号を伏字、例えば「＊」で桁数のみ表示した口座暗証番号表示欄、口座暗証番号を再選択するための「戻る」ボタンおよび選択した口座暗証番号を確定するための「確定」ボタンが表示される。
【００２６】
利用者は、口座暗証番号を再選択するときは「戻る」ボタンを、選択した口座暗証番号を確定するときは「確定」ボタンを押下する。
なお、口座暗証番号の再選択は、所定の回数、例えば３回の再入力を受付け、再選択が所定の回数を超えた場合は、上記ステップＳ７と同様にしてＩＣカード１が排出され、現金自動取引装置５は取引処理を終了してステップＳ１へ戻って待機する。
【００２７】
Ｓ１０、口座暗証番号の確定を認識した現金自動取引装置５は、通常の取引処理の暗証番号の入力後のステップ、例えば出金取引における出金額の受付等を実行し、ホストコンピュータ６との間で通常通りに選択された取引の処理を実行する。
その後の作動は、通常の現金自動取引装置５における取引処理と同様であるので、その説明を省略する。
【００２８】
携帯端末８やパソコン９によってインターネット等の通信網１０を介して行うインターネットバンキング等の場合は、携帯端末８やパソコン９によって金融機関のウェブサーバを介してホストコンピュータ６と接続し、上記ステップ１で説明した取引選択画面を呼出し、以後同様のステップを実行することによりＩＣカード１に記録した秘匿情報３を入力して所望の取引を行う。
【００２９】
以上説明したように、本実施の形態では、ＩＣカードに１つのカード管理識別子により管理された暗証識別子等の複数の個別の秘匿情報を記録し、これをカード管理識別子を介して読出すようにしたことによって、暗証識別子等の秘匿情報を秘匿性を維持したまま利用することができる。
また、これにより多くの暗証識別子等の秘匿情報を使い分ける利用者は、カード管理識別子のみを記憶しておけば、多くの秘匿情報を自在に使用することができ、利用者の利便性を向上することができる。
【００３０】
以上に加えて、利用形態に示したように、取引カードをＩＣカードとして上記のように複数の口座情報とこれに対応させた複数の口座暗証番号を記録するようにしたことによって、利用者は複数の磁気カードからなる取引カードを携帯する必要がなくなり、利用者の利便性を向上することができる。
なお、秘匿情報をカード管理識別子を基に階層化することにより管理して記録するようにし、カード管理識別子の入力によって階層化された秘匿情報を読出すことを可能とするように構成してもよい。これによって秘匿情報の秘匿性を更に向上することができる。
【００３１】
また、上記ステップＳ８において口座暗証番号の表示はキーワードと共に行うとして説明したが、「暗証番号ａ」等のように単に秘匿情報である旨を表す語句を列記することに留めて表示するようにしてもよい。これによって口座暗証番号等の秘匿情報の秘匿性を更に向上することが可能となる。
第２実施の形態例
本実施の形態は、利用者が使用するパソコンに本発明のＩＣカード１を用いる場合の利用形態を示す。
【００３２】
図９は第２実施の形態のＩＣカードの利用形態を示す斜視図である。
なお、上記第１実施の形態例と同様の部分は、同一の符号を付してその説明を省略する。
１１は端末装置としての利用者が使用するパソコンであり、通常のパソコン１１と同様に表示部１２や入力装置としてのキーボード１３、マウス１４を有しており、ＩＣカード１の記録部２に記録された情報を接触または非接触の手段によって読み書きするカード読取書込装置１５を備えている。
【００３３】
本実施の利用形態のＩＣカード１の記録部２には、利用者が使用する暗証番号やパスワード等の暗証識別子、および個人の特徴を示す指紋、声紋、虹彩、顔の輪郭等の生体情報や運転免許証等の画像データである証明書情報等の複数の個別の秘匿情報３が、１つのカード管理識別子４としてのカード暗証番号に管理されて複数記録されている。
【００３４】
なお、本実施の形態のＩＣカード１に、上記第１実施の形態のＩＣカード１と同様に取引口座の口座情報とこれに対応する口座暗証番号を共に記録するようにしてもよい。
上記の構成の作用について、図１０に示すフローチャートを用い、ＳＡで示すステップに従って説明する。
【００３５】
ＳＡ１、利用者がパソコン１１によってパソコン１１に格納されているアプリケーションの起動操作を行うと、パソコン１１はその表示部１２の画面に図１１に示す秘匿情報入力画面を表示する。
秘匿情報入力画面には、起動操作を行ったアプリケーション名、そのユーザＩＤ（ｉｄｅｎｔｉｆｉｃａｔｉｏｎ）、秘匿情報３としてのパスワードの入力結果を表示するパスワード表示欄およびＩＣカード１から口座暗証番号を入力することを指示するための「ＩＣカード」ボタンが表示される。
【００３６】
本実施の形態では、利用者はマウス１４によって「ＩＣカード」ボタンを押下する。
なお、利用者が手入力によりパスワードを入力する場合は、キーボード１３のテンキー等によってパスワードを入力し、これを認識したパソコン１１は通常の手順に従ってアプリケーションを起動する。
【００３７】
ＳＡ２、「ＩＣカード」ボタンが押下された信号を検知したパソコン１１は、ＩＣカード１の挿入を促す画面を表示し、利用者はこれに従ってＩＣカード１をカード読取書込装置１５に挿入する。
この時、パソコン１１は、ＩＣカード１の記録部２に記録されたカード暗証番号を読取る。
【００３８】
ＳＡ３、カード暗証番号の読取りを終えたパソコン１１は、表示部１２の画面に図１２に示すカード暗証番号入力画面を表示する。
カード暗証番号入力画面には、カード暗証番号の入力を促す旨およびカード暗証番号表示欄が表示される。
利用者は、キーボード１３のテンキー等によってカード暗証番号を入力する。
【００３９】
ＳＡ４、カード暗証番号の入力を認識したパソコン１１は、ステップＳＡ２で読取ったＩＣカード１に記録されたカード暗証番号と入力されたカード暗証番号とを比較し、カード暗証番号が一致した場合はステップＳＡ５へ移行する。
カード暗証番号が一致しない場合は、所定の回数、例えば３回の再入力を受付け、再入力されたカード暗証番号が所定の回数を超えても一致しない場合はアプリケーションの起動処理を終了する。
【００４０】
ＳＡ５、カード暗証番号が一致すると、パソコン１１は利用者をＩＣカード１の所有者であると認証し、複数の個別の秘匿情報３として記録された暗証番号やパスワード、証明書情報、生体情報等を読取って表示部１２の画面に図１３に示す秘匿情報選択画面を表示する。
秘匿情報選択画面には、読取った複数の秘匿情報３をそのキーワードと共に表示した秘匿情報ボタンが選択可能に表示される。
【００４１】
この時、秘匿情報３の選択を促す旨やその操作方法等を同時に表示するようにしてもよい。
利用者は、起動するアプリケーションに使用する秘匿情報３を選択してマウス１４によって秘匿情報ボタンを押下する。本実施の形態では、利用者は「パスワードａ」ボタンを押下する。
【００４２】
なお、秘匿情報３の読取りは、ステップＳＡ２においてカード暗証番号を読取る時に同時に読取るようにしてもよい。
ＳＡ６、秘匿情報ボタンが押下された信号を検知したパソコン１１は、表示部１１の画面に図１４に示す秘匿情報確定画面を表示する。
秘匿情報確定画面には、起動操作を行ったアプリケーション名、そのユーザＩＤ、選択された秘匿情報３としての「パスワードａ」ボタンに相当するパスワードを伏字、例えば「＊」で桁数のみ表示したパスワード表示欄、秘匿情報３を再選択するための「戻る」ボタンおよび選択した秘匿情報３を確定するための「確定」ボタンが表示される。
【００４３】
この時、選択された秘匿情報３のキーワードを同時に表示するようにしてもよい。
利用者は、秘匿情報３を再選択するときは「戻る」ボタンを、選択した秘匿情報３を確定するときは「確定」ボタンを押下する。
なお、秘匿情報３の再選択は、所定の回数、例えば３回の再入力を受付け、再選択が所定の回数を超えた場合は、パソコン１１はアプリケーションの起動処理を終了する。
【００４４】
ＳＡ７、秘匿情報３の確定を認識したパソコン１１は、選択された「パスワードａ」ボタンのパスワードによって利用者をアプリケーションの使用許可者と認証し、アプリケーションを起動してそのプログラム等を実行する。
以上説明したように、本実施の形態では、第１実施の形態のＩＣカードの効果に加えて、利用形態に示したように、ＩＣカードに複数の秘匿情報を記録するようにしたことによって、利用者は複数の秘匿情報をアプリケーション毎に記憶する必要がなくなり、利用者の利便性を向上することができる。
【００４５】
なお、秘匿情報は、上記第１実施の形態例と同様にカード管理識別子を基に階層化することにより管理して記録するようにしてもよい。
また、秘匿情報としての証明書情報は、例えば端末装置としての無人契約機における契約時に使用するようにすれば、無人契約機のスキャナ等の画像読取装置の設置を省略でき、無人契約機の簡素化を図ることができる。
【００４６】
更に、個人を認証して各種のシステムを運用する金融機関等のホストコンピュータ等に予め利用者の生体情報を登録しておき、ＩＣカードに記録された秘匿情報としての生体情報を利用者個人を認証する秘匿情報として使用しても、本発明の効果を損なうものではない。
上記各実施の形態においては、カード管理識別子はカード暗証番号として説明したが、カード暗証番号に限らず暗証番号やパスワード等の暗証識別子であってもよい。
【００４７】
また、個人の特徴を示す生体情報をカード管理識別子として用いることもできる。
例えば、指紋を生体情報として用いる場合は、金融機関の店舗や利用者の自宅等に指紋を画像である指紋データとして読取るセンサ（以下、指紋センサという。）を装備したパソコン等を設置し、指紋センサによって利用者の指紋データを読取り、この指紋データの指紋形状の画像から所定の部位の形状を抽出して指紋パターンとし、この指紋パターンをカード管理識別子としてＩＣカードに記録する。
【００４８】
そして、上記第１実施の形態例のステップＳ５または第２実施の形態例のステップＳＡ３において、カード暗証番号等のカード管理識別子を入力する際に、利用者は現金自動取引装置や利用者の携帯端末やパソコン等の端末装置に装備されている指紋センサに指を挿入する。
指紋センサへの指を挿入を検知した端末装置は、カード管理識別子の入力が生体情報によってなされることを認識し、指紋センサによって指紋データを読取り指紋パターンを抽出する。
【００４９】
ステップＳ６またはステップＳＡ４において、カード管理識別子の一致を判定するときは、抽出した指紋パターンとＩＣカードに記録されている指紋パターンとを比較してその一致を判定するようにする。
これによって、ＩＣカードの秘匿情報を用いる場合のカード管理識別子による利用者個人の認証をより確実に行うことが可能となり、ＩＣカードの盗用を確実に防止することができる。
【００５０】
【発明の効果】
以上述べたように、本発明は、ＩＣカードに１つのカード管理識別子により管理された複数の個別の秘匿情報を記録し、これをカード管理識別子を介して読出すようにしたことによって、秘匿情報を秘匿性を維持したまま利用することができるという効果が得られる。
【図面の簡単な説明】
【図１】第１実施の形態のＩＣカードの秘匿情報の構成例を示す説明図
【図２】第１実施の形態のＩＣカードの利用形態を示すブロック図
【図３】第１実施の形態の取引処理を示すフローチャート
【図４】第１実施の形態の取引口座選択画面表示例
【図５】第１実施の形態の口座暗証番号入力画面表示例
【図６】第１実施の形態のカード暗証番号入力画面表示例
【図７】第１実施の形態の口座暗証番号選択画面表示例
【図８】第１実施の形態の口座暗証番号確定画面表示例
【図９】第２実施の形態のＩＣカードの利用形態を示す斜視図
【図１０】第２実施の形態のアプリケーション起動処理を示すフローチャート
【図１１】第２実施の形態の秘匿情報入力画面表示例
【図１２】第２実施の形態のカード暗証番号入力画面表示例
【図１３】第２実施の形態の秘匿情報選択画面表示例
【図１４】第２実施の形態の秘匿情報確定画面表示例
【符号の説明】
１　　ＩＣカード
２　　記録部
３　　秘匿情報
４　　カード管理識別子
５　　現金自動取引装置
６　　ホストコンピュータ
７　　通信回線
８　　携帯端末
９、１１　　パソコン
１０　通信網
１２　表示部
１３　キーボード
１４　マウス
１５　カード読取書込装置
【図１】
2004145659.tif 000003
【図２】
2004145659.tif 000004
【図３】
2004145659.tif 000005
【図４】
2004145659.tif 000006
【図５】
2004145659.tif 000007
【図６】
2004145659.tif 000008
【図７】
2004145659.tif 000009
【図８】
2004145659.tif 000010
【図９】
2004145659.tif 000011
【図１０】
2004145659.tif 000012
【図１１】
2004145659.tif 000013
【図１２】
2004145659.tif 000014
【図１３】
2004145659.tif 000015
【図１４】
2004145659.tif 000016